(57)【要約】【課題】内部に机と椅子が設置されたブースを設置面に固定する固定具にブース内部からアクセス可能な床構造を提供する。【解決手段】使用者が出入りする扉を有し側壁で囲まれた空間の床面に机と椅子が設置されたブースの床面を設置面に固定する固定具にアクセス可能な床構造であって、床面が、椅子の可動範囲を避けて取り外し可能に分割され、床面の長さ方向において、不均等に二分割された床面の小さい方が取り外し可能な床面となっている。不均等に二分割された床面の大きい方を取り外し可能に分割された床面の長さ方向における長さの１／２の範囲で取り外した床面側に移動させることで、ブースの４隅に配置された固定具にアクセス可能となる。【選択図】図５
2020169504.tif 000002
【特許請求の範囲】
【請求項１】
使用者が出入りする扉を有し側壁で囲まれた空間の床面に机と椅子が設置されたブースの床面を設置面に固定する固定具にアクセス可能な床構造であって、
前記床面が、前記椅子の可動範囲を避けて取り外し可能に分割されている、
ことを特徴とする床構造。
【請求項２】
前記床面の長さ方向において、不均等に二分割された前記床面の小さい方が取り外し可能な床面となっている、
ことを特徴とする請求項１に記載の床構造。
【請求項３】
前記取り外し可能な床面は、前記扉側に位置している、
ことを特徴とする請求項２に記載の床構造。
【請求項４】
不均等に二分割された前記床面の大きい方を前記取り外し可能に分割された床面の長さ方向における長さの１／２の範囲で取り外した床面側に移動させることで、前記ブースの４隅に配置された固定具にアクセス可能となる、
ことを特徴とする請求項１ないし３のいずれか１項に記載の床構造。
【請求項５】
二分割された前記床面の大きい方は、取り外した床面側に移動した位置で、前記側壁の内側に突出するように設けられた床支持部材に当接して支持される、
ことを特徴とする請求項４に記載の床構造。
【請求項６】
前記床面の４隅に向かって分割された前記床面の小さい方が取り外し可能な床面となっている、
ことを特徴とする請求項１に記載の床構造。
【請求項７】
分割された前記床面の大きい方は、少なくとも４辺が前記側壁の内側に突出するように設けられた床支持部材に当接して支持される、
ことを特徴とする請求項６に記載の床構造。
【請求項８】
分割された前記床面の小さい方は、三角形状である、
ことを特徴とする請求項７に記載の床構造。
【請求項９】
前記固定具は、前記設置面に対して長方形の転倒防止板を介して前記ブースの４隅に配置されている、
ことを特徴とする請求項１ないし８のいずれか１項に記載の床構造。
【発明の詳細な説明】
【技術分野】
【０００１】
本発明は、床構造に関する。
【背景技術】
【０００２】
天井パネルと、床パネルと、前後左右の四方の壁パネルによって構成される個室ボックスにおいて、各パネルは軽量パネルで構成され、各パネル同士をボルト・ナットによる接合構造とし、組み立て、分解自在とし、その内部に、少なくともテーブル部と、該テーブル部に対応する一人用の椅子とが設けられている個室ボックスが知られている（特許文献１）。
【０００３】
既存建物内に耐震シェルターを組み立てた耐震シェルター設置構造であって、既存建物の既存床上に設けられた耐震シェルターの土台部と、上記土台部上に設けられた耐震シェルターの床板部と、上記土台部上に立設された耐震シェルターの柱壁パネルと、上記柱壁パネルの上側に設けられた耐震シェルターの天井パネルと、上記既存床の床下で上記土台部の下方に位置させた乾式束と、を備える耐震シェルター設置構造も知られている（特許文献２）。
【先行技術文献】
【特許文献】
【０００４】
【特許文献１】特開２００４−１５０２５５号公報
【特許文献２】特開２０１８−１７８５１１号公報
【発明の概要】
【発明が解決しようとする課題】
【０００５】
本発明は、内部に机と椅子が設置されたブースを設置面に固定する固定具にブース内部からアクセス可能な床構造を提供することを目的とする。
【課題を解決するための手段】
【０００６】
前記課題を解決するために、請求項１に記載の床構造は、
使用者が出入りする扉を有し側壁で囲まれた空間の床面に机と椅子が設置されたブースの床面を設置面に固定する固定具にアクセス可能な床構造であって、
前記床面が、前記椅子の可動範囲を避けて取り外し可能に分割されている、
ことを特徴とする。
【０００７】
請求項２に記載の発明は、請求項１に記載の床構造において、
前記床面の長さ方向において、不均等に二分割された前記床面の小さい方が取り外し可能な床面となっている、
ことを特徴とする。
【０００８】
請求項３に記載の発明は、請求項２に記載の床構造において、
前記取り外し可能な床面は、前記扉側に位置している、
ことを特徴とする。
【０００９】
請求項４に記載の発明は、請求項１ないし３のいずれか１項に記載の床構造において、
不均等に二分割された前記床面の大きい方を前記取り外し可能に分割された床面の長さ方向における長さの１／２の範囲で取り外した床面側に移動させることで、前記ブースの４隅に配置された固定具にアクセス可能となる、
ことを特徴とする。
【００１０】
請求項５に記載の発明は、請求項４に記載の床構造において、
二分割された前記床面の大きい方は、取り外した床面側に移動した位置で、前記側壁の内側に突出するように設けられた床支持部材に当接して支持される、
ことを特徴とする。
【００１１】
請求項６記載の発明は、請求項１に記載の床構造において、
前記床面の４隅に向かって分割された前記床面の小さい方が取り外し可能な床面となっている、
ことを特徴とする。
【００１２】
請求項７記載の発明は、請求項６に記載の床構造において、
分割された前記床面の大きい方は、少なくとも４辺が前記側壁の内側に突出するように設けられた床支持部材に当接して支持される、
ことを特徴とする。
【００１３】
請求項８記載の発明は、請求項６又は７に記載の床構造において、
分割された前記床面の小さい方は、三角形状である、
ことを特徴とする。
【００１４】
請求項９に記載の発明は、請求項１ないし８のいずれか１項に記載の床構造において、
前記固定具は、前記設置面に対して長方形の転倒防止板を介して前記ブースの４隅に配置されている、
ことを特徴とする。
【発明の効果】
【００１５】
請求項１に記載の発明によれば、内部に机と椅子が設置されたブースを設置面に固定する固定具にブース内部からアクセスすることができる。
【００１６】
請求項２に記載の発明によれば、机や椅子をブースの外に出すことなく固定具にアクセスすることができる。
【００１７】
請求項３に記載の発明によれば、机や椅子をブースの外に出すことなく固定具にアクセスすることができる。
【００１８】
請求項４に記載の発明によれば、机や椅子をブースの外に出すことなく固定具にアクセスすることができる。
【００１９】
請求項５に記載の発明によれば、取り外さない大きい方の床面の沈み込みを抑制することができる。
【００２０】
請求項６に記載の発明によれば、机や椅子をブースの外に出すことなく固定具にアクセスすることができる。
【００２１】
請求項７に記載の発明によれば、取り外さない大きい方の床面の沈み込みを抑制することができる。
【００２２】
請求項８に記載の発明によれば、分割されて取り外す床面を固定具にアクセス可能となる最小限の大きさとすることができる。
【００２３】
請求項９に記載の発明によれば、ブースの内部から固定具にアクセスすることができる。
【図面の簡単な説明】
【００２４】
【図１】第１実施形態に係るブースの内部構成を示す要部斜視図である。
【図２】ブースの内部構成を示す平面一部断面図である。
【図３】（ａ）はブースの内部構成を示す平面断面図、（ｂ）は正面断面図である。
【図４】（ａ）は二分割された床板部のうち、小さい床板部を取り外した状態のブースの内部構成を示す平面断面図、（ｂ）は正面断面図である。
【図５】二分割された床板部のうち、小さい床板部を取り外し大きい床板部を移動させた状態のブースの内部構成を示す平面断面図である。
【図６】（ａ）は変形例に係るブースの内部構成を示す平面断面図、（ｂ）は正面断面図である。
【図７】二分割された床板部のうち、小さい床板部を取り外し机と椅子を移動させた状態のブースの内部構成を示す平面断面図である。
【図８】変形例に係るブースの床板部の他の分割例を示す平面断面図である。
【図９】第２実施形態に係るブースの内部構成を示す要部斜視図である。
【図１０】（ａ）はブースの内部構成を示す平面断面図、（ｂ）は正面断面図である。
【図１１】二分割された床板部のうち、小さい床板部を取り外し大きい床板部を移動させた状態のブースの内部構成を示す平面断面図である。
【図１２】固定具と転倒防止板の取り付けを示す図である。
【発明を実施するための形態】
【００２５】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００２６】
「第１実施形態」
（１）ブースの全体構成
図１は本実施形態に係るブース１の内部構成を示す要部斜視図、図２はブース１の内部構成を示す平面一部断面図である。以下、図面を参照しながら、ブース１の全体構成を説明する。
【００２７】
図１、図２に示すように、ブース１は、設置面ＦＬ上に設けられる土台部２と、土台部２上に設けられた床板部３と、土台部２上に立設された側壁パネル４と、側壁パネル４上に設けられた天井パネル５と、土台部２の下方に設けられた４個のキャスター６と、土台部２の下方でキャスター６の近傍に設けられた４個の固定具７と、を備えている。
【００２８】
土台部２は、ブース１の底形状に対応した矩形状をなすように、４本の梁材２１を互いに接合したもので、例えば、角形鋼管からなる。
【００２９】
床板部３は、土台部２の内側に突出するように設けられた床支持部材２２に当接して支持され、例えば、木質の板材である構造用合板上にフロアマットが積層されている。
【００３０】
側壁パネル４は、奥側壁を構成する第１側壁パネル４１と、左右壁を構成する第２側壁パネル４２、第３側壁パネル４３と、手前壁を構成する第４側壁パネル４４とからなる。第４側壁パネル４４は出入り口となる開口部４４ａを有し、この開口部４４ａに扉４５が装着されている。本実施形態においては、扉４５は引き戸となっている。
【００３１】
天井パネル５は、側壁パネル４で形成された上方の開口部を塞ぐように、側壁パネル４の上端部に固定され、例えば、木質の板材である構造用合板からなる。尚、天井パネル５を取り付けず、側壁パネル４で形成された上方は開口したままであってもよい。
【００３２】
キャスター６は、土台部２の下方の４隅に設けられ、工場等で組み立てられたブース１を設置場所へ設置する際に、トラック等の荷台に載せて運搬し、設置場所ではキャスター６を介して移動させ設置面ＦＬ上に設置する。
【００３３】
固定具７は、高さ調整可能に構成されており、設置面ＦＬと土台部２との間でキャスター６を設置面ＦＬから浮かしてブース１を設置面ＦＬに移動不可の状態に固定する。
【００３４】
このように構成されるブース１には、図１に示すように、机１１と椅子１２が設置され、利用者はこの椅子１２に座って机１１に向かい仕事や勉強を行うように設定される。
机１１は、天板１１ａとこれと支持する脚部材１１ｂ、１１ｂとからなり、天板１１ａは、４つの側壁パネル４１、４２、４３、４４のうちの一つの側壁（第２側壁パネル４２）に天板１１ａの後端縁１１ａｂが接触するように床板部３上に配置されている。
これに対して、椅子１２は、床板部３上で一定の範囲で移動可能となっている。
【００３５】
（２）床構造
図３（ａ）はブース１の内部構成を示す平面断面図、（ｂ）は正面断面図、図４（ａ）は二分割された床板部３のうち、小さい床板部３１を取り外した状態のブース１の内部構成を示す平面断面図、（ｂ）は正面断面図、図５は二分割された床板部３のうち、小さい床板部３１を取り外し大きい床板部３２を移動させた状態のブース１の内部構成を示す平面断面図である。
以下、図面を参照しながらブース１の床構造について説明する。
【００３６】
図３に示すように、床板部３は、床面の長さ方向において、小さい床板部３１と大きい床板部３２とに不均等に二分割され、分割された床板部３の小さい床板部３１が取り外し可能となっている。小さい床板部３１と大きい床板部３２とは、図３（ａ）に示すように、椅子１２の可動範囲（図３（ａ）中  二点鎖線領域Ｒ参照）を避けるように分割されている。
【００３７】
このように二分割された床板部３のうち、小さい床板部３１を取り外すことで、図４に示すように、土台部２の下方でキャスター６の近傍に設けられた４個の固定具７のうち、２個の固定具７Ａ、７Ｂに、ブース１の内部からアクセス可能となる（図４中  矢印参照）。
また、床面には残された大きい床板部３２を床面の長さ方向に移動させるためのスペースが形成される（図４中  Ｌ参照）。この状態では、大きい方の床板部３２には、机１１と椅子１２が配置されている。尚、取り外す小さい床板部３１は、扉４５側に位置しているために、机１１や椅子１２をブース１の外に出すことなくブース１の内部から固定具７にアクセスすることができる。
【００３８】
大きい方の床板部３２を、机１１と椅子１２が配置されたまま、小さい方の床板部３１を取り外して形成されたスペースへそのスペースの凡そ１／２の距離（Ｌ／２）だけ移動させることで、図５に示すように、他の固定具７Ｃ、７Ｄにもブース１の内部からアクセス可能となる。
この状態では、椅子１２は、大きい方の床板部３２上で第１側壁パネル４１側（図５（ａ）  参照）、または、第４側壁パネル４４側（図５（ｂ）  参照）へ移動させることができ、机１１や椅子１２をブース１の外に出すことなく、ブース１の内部からそれぞれの固定具７Ｃ、７Ｄに容易にアクセス可能となる。
【００３９】
尚、小さい方の床板部３１を取り外して形成されたスペースへ移動させた大きい方の床板部３２は、移動した位置でも、土台部２の内側に突出するように設けられた床支持部材２２に当接して支持され、床面の沈み込みは抑制されている。
【００４０】
固定具７は、公知のアジャスターであり、大きい方の床板部３２を移動させて形成されたアクセス空間から固定具７にアクセスして、アジャスターボルト７ａ（図１１参照）を回転させることによってブース１の設置面ＦＬからの設置高さを上下に調整することができる。
【００４１】
「変形例」
図６（ａ）は変形例に係るブース１の内部構成を示す平面断面図、（ｂ）は正面断面図、図７は二分割された床板部３Ａのうち、小さい床板部３１Ａを取り外し机１１と椅子１２を移動させた状態のブース１の内部構成を示す平面断面図、図８は変形例に係るブース１の床板部３Ａの他の分割例を示す平面断面図である。
【００４２】
変形例に係るブース１の床板部３Ａは、図６に示すように、椅子１２の可動範囲（図６（ａ）中  二点鎖線領域Ｒ参照）を避けるように床面の４隅に向かって三角形状に分割された小さい方の床板部３１Ａが取り外し可能となっている。
分割された大きい方の床板部３２Ａには、机１１と椅子１２が配置されている。また、分割された大きい方の床板部３２Ａは、土台部２の内側に突出するように設けられた床支持部材２２に４辺が当接して支持され、床面の沈み込みは抑制されている。同様に、分割された三角形状の小さい方の床板部３１Ａは、２辺が床支持部材２２に当接して支持されている。
【００４３】
このように分割された床板部３Ａは、三角形状に分割された小さい方の床板部３１Ａと、八角形状に分割された大きい方の床板部３２Ａの合わせ面（分割位置）は、図６に示すように椅子１２の可動範囲（図６中  二点鎖線領域Ｒ）に入りづらく床面の沈み込みは抑制されている。
【００４４】
二分割された床板部３Ａのうち、小さい床板部３１Ａを取り外し、机１１や椅子１２をブース１の外に出すことなく、大きい方の床板部３２Ｂ上で移動させる（図７中  矢印Ｘ参照）ことで、図７に示すように、土台部２の下方でキャスター６の近傍に設けられた４個の固定具７Ａ、７Ｂ、７Ｃ、７Ｄの全てにブース１Ａの内部からアクセス可能となる（図７中  矢印参照）。
【００４５】
床板部３Ａの床面の４隅に向かって分割される小さい方の床板部３１Ａは、三角形状に限らず、図８（ａ）に示すように、四角形状であってもよく、図８（ｂ）に示すように円弧状であってもよい。
二分割された床板部３Ａのうち、小さい床板部３１Ａを取り外し、机１１や椅子１２を大きい方の床板部３２Ｂ上で移動させることで、４個の固定具７Ａ、７Ｂ、７Ｃ、７Ｄの全てにブース１Ａの内部からアクセス可能となる。
【００４６】
「第２実施形態」
図９は本実施形態に係るブース１Ａの内部構成を示す要部斜視図、図１０（ａ）はブース１Ａの内部構成を示す平面断面図、（ｂ）は正面断面図、図１１は二分割された床板部３のうち、小さい床板部３１を取り外し大きい床板部３２を移動させた状態のブース１Ａの内部構成を示す平面断面図、図１２は固定具７と転倒防止板８の取り付けを示す図である。である。
尚、第１実施形態と同様の構成については同様の符号を用い、ここではその詳細な説明を省略する。
【００４７】
図９、図１０に示すように、ブース１Ａは、設置面ＦＬ上に設けられる土台部２と、土台部２上に設けられた床板部３と、土台部２上に立設された側壁パネル４と、側壁パネル４上に設けられた天井パネル５と、土台部２の下方に設けられた４個のキャスター６と、土台部２の下方でキャスター６の近傍に設けられた４個の固定具７と、転倒防止板８と、を備えている。
【００４８】
ブース１Ａは、固定具７が、設置面ＦＬに対して長方形の転倒防止板８を介してブース１Ａの左右に配置されている。固定具７は、図１２に示すように、設置面ＦＬとブース１Ａの土台部２の狭い空間（図１２中  Ａ参照）に転倒防止板８を介して取り付けられているために、ブース１Ａの外部からアクセスして高さ調整をすることは困難である。
【００４９】
本実施形態におけるブース１Ａは、床板部３が、床面の長さ方向において、小さい床板部３１と大きい床板部３２とに不均等に二分割され、分割された床板部３の小さい床板部３１が取り外し可能となっている。
【００５０】
このように二分割された床板部３のうち、図１１に示すように、小さい床板部３１を取り外し、大きい方の床板部３２を、机１１と椅子１２が配置されたまま、小さい方の床板部３１を取り外して形成されたスペースへそのスペースの凡そ１／２の距離（Ｌ／２）だけ移動させることで、図１１に示すように、固定具７Ａ、７Ｂ、７Ｃ、７Ｄにアクセス可能となる（図１１  矢印参照）。
【００５１】
これにより、固定具７が、設置面ＦＬとブース１Ａの土台部２の狭い空間に転倒防止板８を介して取り付けられている場合であっても、ブース１Ａの内部からから固定具７にアクセスして、アジャスターボルト７ａを回転させることによってブース１Ａの設置面ＦＬからの設置高さを上下に調整することができる。
【００５２】
床板部３は、第１実施形態における変形例のように、椅子１２の可動範囲を避けるように床面の４隅に向かって三角形状、四角形状あるいは円弧状に分割された小さい方の床板部３１Ａが取り外し可能となっている構造であってもよい。
【符号の説明】
【００５３】
１、１Ａ・・・ブース
２・・・土台部
２２・・・床支持部材
３、３Ａ・・・床板部
３１、３１Ａ・・・小さい方の床板部
３２、３２Ａ・・・大きい方の床板部
４・・・側壁パネル
５・・・天井パネル
６・・・キャスター
７・・・固定具
８・・・転倒防止板
１１・・・机
１２・・・椅子
【図１】
2020169504.tif 000003
【図２】
2020169504.tif 000004
【図３】
2020169504.tif 000005
【図４】
2020169504.tif 000006
【図５】
2020169504.tif 000007
【図６】
2020169504.tif 000008
【図７】
2020169504.tif 000009
【図８】
2020169504.tif 000010
【図９】
2020169504.tif 000011
【図１０】
2020169504.tif 000012
【図１１】
2020169504.tif 000013
【図１２】
2020169504.tif 000014